(57)【要約】【課題】外に脱がれた履物を何時でも気持ち良く履ける状態で長期間清潔に保管し、履物を脱いで置く辺りの景観を崩さず、簡単で安全な操作で履き易いようにできる履物の収納装置を提供する。【解決手段】勝手口の外で脱がれた履物２を覆って履物２を雨などから保護する覆い部１と、覆い部１が履物２を覆う状態にまたは履物２を覆い部２外に取り出し状態と成す離合手段６とを備え、離合手段６が建物のドア４である構成とし、覆い部は床面に対し伏せた容器状に形成され離合手段が前記覆い部上に突設された把持部でもよいし、履物を持ち上げ可能に係止する係止手段を覆い部内に有してもよく、覆い部が勝手口下の外壁に開口部を有し床下に延設された横穴状で離合手段が履物の押し込み装置と覆い部に収納された履物を押し出す取り出し装置とからなってもよい。【選択図】　　　図１
2004081469.tif 000002
【特許請求の範囲】
【請求項１】
出入り口で脱がれた履物の少なくとも上方を覆った状態で該履物を雨などから保護する覆い部と、
前記履物または覆い部の少なくとも一方を移動させ覆い部が履物を覆う状態にまたは覆い部が覆っていた履物を覆い部外に取り出し状態と成す離合手段と、を備えていることを特徴とする履物の収納装置。
【請求項２】
離合手段が建物のドアであり、覆い部が該ドアの下部に取付けられていることを特徴とする請求項１に記載の履物の収納装置。
【請求項３】
覆い部が床面に対し伏せた容器状に形成されると共に、離合手段が前記覆い部から上方に向け所定高さに突設された把持部であることを特徴とする請求項１に記載の履物の収納装置。
【請求項４】
履物の少なくとも一方を持ち上げ可能に係止する係止手段を覆い部内に有することを特徴とする請求項１または請求項３に記載の履物の収納装置。
【請求項５】
覆い部が出入り口下の外壁に開口部を有し床下に延設された横穴状に設けられ、離合手段が履物を覆い部内に押し込む押し込み手段と覆い部に収納された履物を前記開口部から外部に押し出す取り出し手段とから成ることを特徴とする請求項１に記載の履物の収納装置。
【発明の詳細な説明】
【０００１】
【発明が属する技術分野】
本発明は、勝手口などで脱がれた履物を少なくともその上方を覆って風雨、ホコリ、紫外線などから保護するようにした履物の収納装置に関する。
【０００２】
【従来の技術】
日本式家屋では出入り口で履物を脱いでから上がっている。この出入り口としては玄関や勝手口があり、またベランダに向いた窓などもある。このうち、出入り口が玄関の場合はその玄関ドアに続く土間が建物内にあり、履物は玄関内で脱がれて建物内に収納されるから、その履物は夜露や風雨、ホコリ、日光などからは保護された状態となっている。
【０００３】
【発明が解決しようとする課題】
一方、最近の建物の勝手口には室内側に土間のない場合が多いから、履物は建物の外に置かれた状態となっている。この勝手口にはひさしは有るものの周囲がほぼ開放状態であるから、履物は夜露や風雨、ホコリ、日光（特に紫外線）などによる水濡れ、汚れ、早い時間での劣化などの悪影響を受けることになる。ベランダなども同じ様な状態である。
また、隣近所立て込んでいると勝手口なども隣接地や道路などからはっきりと見える場合があり、勝手口で脱がれた履物が乱雑に脱ぎ捨ててあると見苦しく、折角スマートに建てた家であっても室内までそうなっていると受け取られ兼ねない。
この勝手口ドアの外は室内床面より一段と低くなっており、開けたドアが履物に当たらない利点はあるが、乱れた履物を室内側から腰をかがめて取り揃えるのは簡単にできないし、一寸離れていても手が届きにくく無理に揃えようとすると姿勢が不安定となって危険を感じる場合もある。お菓子の空き箱などで簡単に覆う場合もそうである。
【０００４】
本発明は、上述のような従来の問題点を解決するためになされたもので、その目的とするところは、外気に晒される場所の履物を、簡単な操作で何時でも気持ち良く履ける状態で長期間清潔に健全に保管し、また履物を脱いで置く辺りの景観を崩さないようにした履物の収納装置を提供することにある。
また、本発明は、外気に晒される場所の履物を簡単で安全な操作で履き易いようにできる履物の収納装置を提供することにある。
【０００５】
【課題を解決するための手段】
上記目的を達成するために、本発明請求項１に記載の履物の収納装置にあっては、出入り口で脱がれた履物の少なくとも上方を覆った状態で該履物を雨などから保護する覆い部と、前記履物または覆い部の少なくとも一方を移動させ覆い部が履物を覆う状態にまたは覆い部が覆っていた履物を覆い部外に取り出し状態と成す離合手段と、を備えていることを特徴とする。
【０００６】
請求項２に記載の履物の収納装置にあっては、請求項１に記載の履物の収納装置において、離合手段が建物のドアであり、覆い部が該ドアの下部に取付けられていることを特徴とする。
【０００７】
請求項３に記載の履物の収納装置にあっては、請求項１に記載の履物の収納装置において、覆い部が床面に対し伏せた容器状に形成されると共に、離合手段が前記覆い部から上方に向け所定高さに突設された把持部であることを特徴とする。
【０００８】
請求項４に記載の履物の収納装置にあっては、請求項１または請求項３に記載の履物の収納装置において、履物の少なくとも一方を持ち上げ可能に係止する係止手段を覆い部内に有することを特徴とする。
【０００９】
請求項５に記載の履物の収納装置にあっては、請求項１に記載の履物の収納装置において、覆い部が出入り口下の外壁に開口部を有し床下に延設された横穴状に設けられ、離合手段が履物を覆い部内に押し込む押し込み手段と覆い部に収納された履物を前記開口部から外部に押し出す取り出し手段とから成ることを特徴とする。
【００１０】
【作用および効果】
本発明請求項１に記載の履物の収納装置では、覆い部と離合手段とを備えており、この場合、離合手段で覆い部を操作してこの覆い部を履物の上部に配置させることによって履物を覆わせる。また、既に履物を覆っていた覆い部を履物の上部から移動させて履物を露出させ使用可能とする。
或いは、離合手段で履物を操作してこの履物を覆い部の下部に配置させることによって履物を覆わせる。また、既に覆い部が覆っていた履物を覆い部の下から移動させて覆い部から履物を露出させ使用可能とする。更に、離合手段によって履物と覆い部を共に移動（覆い部の場合は開閉、回転、昇降などを含む。）させて履物を覆い部に収納したり取り出し可能とすることもできる。
この覆い部としては履物の上部のみを覆う屋根状、履物の周囲の一部または全周も覆う容器状など様々に形成でき、また、形状一定型の他、一部跳ね上げ式、ジャバラのような伸縮式などに設けることにより、覆い部を一部開けて履物の収納や取り出しを容易とすることもできる。
【００１１】
従って、請求項１に記載の発明にあっては、勝手口など外気に晒される場所に脱ぎ捨てられた履物の少なくとも上部を覆って夜露や雨、ホコリ、日光などが直接履物に当たるのを阻止し、いつでも気持ち良く履ける状態で長期間清潔に健全に保管することができる。
また、履物をきちんと覆って外部から見えにくくし、出入り口部をすっきりとさせることができる。
【００１２】
請求項２に記載の履物の収納装置では、離合手段が覆い部の方を履物に対して移動させることができる。この場合、覆い部の離合手段として出入り口のドアを利用している。このドアの下方から横向きに突出するように覆い部を装着しておくと、ドアの閉じ動作によりこのドアと共に覆い部が出入り口側に移動する。このドアの閉じ状態によって出入り口近くに脱ぎ捨てられた履物の上部を覆い部が覆うことになる。
また、そのドアを開けると覆い部がドアと共に移動して履物を出入り口位置で露出させ、そのまま使用可能とする。
【００１３】
従って、請求項２に記載の発明にあっては、外に脱ぎ捨てられた履物をドアを閉じるだけで自動的に覆い部で覆って出入り口近くに保管し、また、ドアを開けるだけで履物を元のように自動的に露出させることができ、誰でも手を煩わさずに、かつ安全に室外の履物の保管と取り出しを行なうことができる。
この場合、ドアを閉じる際に履物の上面側を覆ってゆく覆い部の終端側に床面近くまで下がった前壁部を設けておくと、履物はドアを開けた状態で脱がれているから、あちこち脱ぎ捨てられた履物でもドアを閉じる際に前壁部が履物に当たってドア閉じ側に移動させ、このドアを閉じてしまうと履物を出入り口側に寄せた位置で保管状態と成し、このため何時も安全に履き易くなっており、しかもこのようにドアを開閉するだけで人手を要さずに出入り口付近を奇麗に整理しておくことができるなどの効果が得られる。
【００１４】
請求項３に記載の履物の収納装置では、床面に容器を伏せた形状の覆い部が把持部下方に設けられた状態となっているから、この把持部を持って覆い部をいろいろ操作できる。つまり、履物を脱いで室内に上がった後、この室内側から収納装置の把持部を持って覆い部を履物の上から被せることにより収納する。この場合、履物は被せた覆い部で床面上を摺動できるから、脱ぎ方が乱雑で一対の履物同士が離れていても一方側に覆い部を被せて他方側に寄せた後、奇麗に揃えて被せることができる。また、床面上を摺動させてドアの開閉に邪魔にならない位置に保管し使用時には履き易い向きや位置に配置させることができる。
【００１５】
従って、請求項３に記載の発明にあっては、把持部を利用して無理のない姿勢で安全に、内外床面の段差が大きい勝手口などにおいても室内側から履物を覆い部で覆って簡単に保管することができる。また逆に、把持部を持って覆い部を除くことにより履物を簡単に外に出して履くことができる。
履物を収納した覆い部は、把持部を持って床面上で履物を摺動させドアの開閉に支障ない場所にそのまま保管しておき、使用時には履き易い場所に移すと共につま先が前方を向くように配置してから取り出すことができる。
操作は、このように極めて簡単な手順で行なえるから、誰でも安全に手早く収納したり取り出して使用状態とすることができる。
また、乱雑に脱ぎ捨てられた履物でも覆い部で揃えて隠すことから、外から見られ易い出入り口など、履物を使用する辺りの景観をいつも奇麗に整えておくことができるなどの効果が得られる。
【００１６】
請求項４に記載の履物の収納装置では、請求項３の構成に加え覆い部内部に履物を持ち上げ可能に係止する係止手段を有しており、履物は覆い部内に係止状態で収納されることになる。この場合、履物は覆い部で持ち上げ状態で移動可能となるから、床面を摺らせることなく適当な位置に簡単に移動させることができる。脱ぎ方が乱雑で一対の履物同士が離れていても先ず一方側を覆い部に係止させ持ち上げながら他方側まで移動させて他方側も簡単に収納できる。
履物の両方共係止可能としておくと両方収納状態で持ち上げ極めて簡単にどこにでも移動させることができるし、一方のみを係止可能としておくと他方側に寄せて収納させるまでは簡単にどこにでも移動させることができる。
【００１７】
従って、請求項４に記載の発明にあっては、履き物を収納部内に係止して持ち上げ、他方側が離れていてもサッと移動して同様の操作で簡単に収納したりドアの開閉に邪魔にならない位置に移動させて保管し、使用時にはドアを開けた状態で履き易い位置に配置させることが誰でも極めて簡単に安全にできるなどの効果が得られる。
【００１８】
請求項５に記載の履物の収納装置では、出入り口床下に覆い部があり、履き物は押し込み手段、例えばドア下部に垂設した押し込み板などにより、ドアを閉じる際に外壁の開口部から覆い部内に押し込んで収納する。
その後、履き物を取り出して使用する場合は、押し込み手段を除いて開口部を開け、取り出し手段、例えば室内からレバー操作などによって覆い部の内部で回動動作する押し出し板などによって床面上に押し出す。
【００１９】
従って、請求項５に記載の発明にあっては、履き物を収納する覆い部が出入り口床下にあるため、履き物収納時は目立つことなく出入り口周辺をスッキリとさせることができるなどの効果が得られる。
【００２０】
【発明の実施の形態】
以下、本発明の実施の形態を図面に基づいて詳細に説明する。
図１は実施の形態１の履物の収納装置を示しており、（イ）は全体を示す斜視図、（ロ）は履物の収納手順を示す説明図、（ハ）は同収納後の状態を示す断面図である。
図中、１は覆い部、２はサンダルやスリッパなどの履物、３は出入り口としての勝手口、４は勝手口のドア、５は勝手口に臨む屋外の床面である。
【００２１】
前記覆い部１は履物２の上面および側方を覆うものであって、勝手口ドア４のサッシ枠における下框部１１から外側下方に傾斜して設けられた片流れの屋根部１２と、その先端から床面５に接近するまで設けられた前壁部１３および両妻側に設けられた側壁部１４，１４からなっており、下面側とドア４の下位置となる後面側は壁が無く開口した状態となっている。そしてドア４を閉じたとき、前記屋根部１２と前壁部１３、側壁部１４，１４、および床面５と建家のドア下外壁面１５（本実施の形態１では布基礎の外側面）で囲まれた内部は、履物２がドア４の前面側近くで広げて脱がれていても十分に余裕を持って収納できる大きさの収納空間１６が形成されている。１７は下框部１１に覆い部１を装着して固定させる取付け枠である。
【００２２】
前記覆い部１が装着された勝手口のドア４は、この覆い部１を移動させて履物２を覆う状態と成すための離合手段６を兼ねている。つまり覆い部１における後面側（ドア下位置）の開口部分は、覆い部１側から見ると、このドア４を開閉する際に床面５上を移動して履物２を床面５に置いたまま覆い部１から出し入れするのである。この開口部分を履物２の出し入れ口１８とする。
【００２３】
次に、本実施の形態１における履物の収納装置の作用を説明する。
先ず、人が勝手口３から室内に入るとき、図１（ロ）に一点鎖線で示すようにドア４は開放され、履物２は勝手口３の前面に脱がれる。つまり履物２は勝手口３とドア４との間にあってこのドア４の回転による出し入れ口１８の回転範囲内に配置された状態となる。
次に、室内に入った人がドア４を閉じると、覆い部１がドアと共に回転してきて履物２を出し入れ口１８から入れ込み、図１（ハ）に示すように収納空間１６内に収納した状態とする。このとき、履物２の脱ぎ方が悪くて図１（ロ）の符号２ａで示すように一方側の履物が勝手口３から離れていても、ドア４の回転の途中で覆い部の前壁部１３が当接し勝手口側に押し込み、強制的に他方側と揃えた状態とする。
この後、人が勝手口３から出るためにドア４を開けると覆い部１がドア４と共に遠くへ移動し、勝手口下には前記履物２が揃えられた状態で露出する。
【００２４】
以上説明してきたように、本実施の形態１の履物の収納装置にあっては、出入り口、つまり勝手口３のドア４を閉じるだけで、外に脱ぎ捨てられた履物２を自動的に覆い部１で覆って夜露や雨、ホコリ、日光などが直接当たるのを阻止し、長期間古びることなくいつでも気持ち良く履ける状態で勝手口近くに清潔に保管しておくことができる。
また、勝手口のドア４を開けるだけで誰でも手を煩わさずに履物２を履き易い位置に自動的に取り出し、室内床面が屋外の床面５に対して高くても安全に使用することができる。
あちこち脱ぎ捨てられた履物２でも、ドア４を閉じる際にこの履物２を勝手口３側に揃えて保管状態と成し、このため何時も安全に履き易くなっており、更にこのようにドア４を開閉するだけで人手を要さずに履物２を覆い、出入り口付近をすっきりと奇麗に整理しておくことができる。
構造は極めて簡単であり安価に設けることができるなどの効果が得られる。
尚、覆い部１は片流れの屋根形状で説明してきたが、覆い部上面の形状は任意に設定できるものであり、カマボコ屋根状、円筒の４分の１形状などとしてもよい。また覆い部１のドア幅方向の幅は任意であり、ドア幅と同一大きさとしてもよい。取付け枠１７はドアに簡単に着脱できるようにしてもよい。また、取付け枠１７をドア４とは別に建家壁面に回動自在に軸支し、室内側に設けたレバーやロッドなどの操作によってドアとは別に開閉できるようにしてもよい。この場合はレバーなどの開閉手段や取付け枠などが離合手段となる。
【００２５】
次に、その他の実施の形態を説明する。尚、以下に説明する各実施の形態において実施の形態１と同一の構成部分は同一の符号を付してその具体的な説明は省略する。
図２（イ）、（ロ）は実施の形態２の履物の収納装置を示しており、（イ）は履物の収納手順と全体を示す断面図、（ロ）は履物の収納状態を示す拡大断面図である。
本実施の形態２の履物の収納装置は、覆い部２１は建家構成部分を利用し履物２の収納空間２２が建家内に配置されると共に、離合手段２４が履物２の押し込み装置２５と押し出し装置２６からなることに特徴がある。
前記覆い部２１は、勝手口に臨む屋外の床面５と同一レベルで勝手口屋内側の床下に収納空間２２を形成するため勝手口の床回りが兼用され、屋内側に固定状態に設けられている。２３は床面５に臨んで開口した出し入れ口である。
【００２６】
前記押し込み装置２５は、出し入れ口２３と略同一大きさに設けられた押し込みプレート２７と、この押し込みプレート２７をドア４と共に回動させることにより、ドア４を閉じたとき押し込みプレート２７で出し入れ口２３を閉塞させる取付け枠２８により設けられている。
また押し出し装置２６は、収納空間２２の後端部に配置された押し出しプレート２９と、この押し出しプレート２９を出し入れ口２３に向け進退させる駆動装置３０からなる。この駆動装置３０は図２（ロ）に示すように、押し出しプレート２９に一端側を軸支されたリンク同士が開脚時にこの押し出しプレート２９を収納空間後端部側に後退させ閉脚時に出し入れ口２３側に進出させる機構部を複数段連接して構成されたリンク装置３１と、前記リンクによる機構部終端側を開閉させるレリーズ状のワイヤ装置３２、リンク同士を常時開き側に付勢させるスプリング３３、およびワイヤ装置３２の駆動用レバー装置３４（図２（イ）参照）からなる。図中３５は各部の動作をスムーズに行なわせるためのガイドレールである。
【００２７】
次に、本実施の形態２における履物の収納装置の作用を説明する。
先ず、人が勝手口３から室内に入るときドア４は開放され、図２（イ）に一点鎖線で示すように勝手口３の前面に脱がれた履物２は、勝手口３下方に開口する出し入れ口２３と押し込みプレート２７との間に配置された状態となる。このときは駆動用レバー装置３４は操作しないので、リンク装置３１はスプリング３３の付勢力によって開脚して押し出しプレート２９を収納空間２２の後端部側に配置させている。
次に、室内に入った人がドアを閉じると、押し込みプレート２７がドアと共に回転してきて履物２を出し入れ口２３から入れ込み、図１（イ）に示すように収納空間２２内に収納した状態とする。このとき、履物２の脱ぎ方が悪くても、ドア４の回転の途中で両方共必ず押し込みプレート２７が当接して覆い部２１の下方、つまり収納空間２２に揃えた状態で収納させる。
この後、人が勝手口３から出るためにドア４を開けると、押し込みプレート２７がドア４と共に遠くへ移動して出し入れ口２３を開口させるから、次いで駆動用レバー装置３４により、リンク装置３１をスプリング３３の付勢力に抗して閉脚させ、押し出しプレート２９を収納空間２２の後端部側から出し入れ口２３側に移動させる。この移動により、履物２は勝手口３の前面に押し出されることになる。
【００２８】
以上説明してきたように、本実施の形態２の履物の収納装置にあっては、実施の形態１と同様の効果が得られる他、勝手口ドア４に出張りを少なくでき、床面５を有効利用できると共に、ドア下回りをすっきりとまとめることができるなどの効果が得られる。
尚、各ガイドレール３５同士を枠組みし、または新たにフレームを設けて押し出しプレート２９やリンク装置３１など機構部分一式を出し入れ口２３などから収納空間２２に着脱自在に装着させるようにしてもよい。
また、収納空間２２に収納した履物２を押し出しプレート２９で押し出すのはリンク装置３１によるとしたが、例えば、図２（ハ）に示すように収納空間２２内の前後方向に向けて軸３６を回転自在に軸支３７して電動機３８を連結させ、軸３６に右ねじと左ねじが軸先端部で連続するように螺設したねじ溝３９に雌ねじ４０を螺合させ、この雌ねじ４０に押し出しプレート２９を固定することにより、電動機３８により軸３６を一方側に回転させるだけで雌ねじ４０が軸先端まで往復するから、この動作により押し出しプレート２９で履物２を押し出すようにしてもよい。また、エアシリンダや無端チェンなどを使用することもできる。押し出しプレート２９の両側には、押し出し時に履物２が整然と押し出されるようガイド片を突設してもよい。
【００２９】
次に、実施の形態３を説明する。
図３は実施の形態３の履物の収納装置を示しており、（イ）は全体を示す斜視図、（ロ）は使用状態を示す断面図である。
本実施の形態３の履物の収納装置は可搬型に設けたのを特徴としており、覆い部４４と把持部４５より成っている。この覆い部４４は下面に開口部４６を有するように容器を伏せた形状となっており、上面後端部の幅方向に樹脂ヒンジ４７を設けることにより跳ね上げ部分４８と支持部分４９に分けられている。５０は周壁部、５１は収納空間である。この収納空間５１には、履物２の係止手段５２として支持部分４９から跳ね上げ部分４８まで一対のフック５３，５３が延設され履物２の甲掛け部７に挿入して引っ掛けるようになっている。
【００３０】
前記把持部４５は、覆い部４４における支持部分４９上面に突設した支柱部５４の上端に設けられており、支柱部５４にはロッド５５が摺動自在に装着されている。この支柱部５４は、屋外配置した把持部４５を室内側から安全姿勢で握って覆い部４４を移動できる高さを有している。従って、本実施の形態３の履物の収納装置では、把持部４５が覆い部４４で履物２を覆い状態、または覆い部４４で覆っていた履物２を覆い部４４の外部に取り出し状態と成すための離合手段５９となっている。
また、５６はロッド５５を手動にて上昇させるレバー、５７はリンクであって一端側がロッド５５の下端側に、他端側が覆い部４４における跳ね上げ部分４８に軸支されてロッド５５の上昇で跳ね上げ部分４８を引っ張るようになっており、樹脂ヒンジ４７を支点として跳ね上げ部分４８を跳ね上げさせる。５８はスプリングであってロッド５５を下方側に付勢し跳ね上げ部分４８を常時閉じ状態となしている。尚、この跳ね上げ部分４８を跳ね上げたとき前記フック５３の先端部が露出した状態となる。
【００３１】
次に、本実施の形態３における履物の収納装置の作用を説明する。
本実施の形態の履物の収納装置では、勝手口のドアを開け室内に向いて上がった後には勝手口前の床面５に履物２がつま先側を勝手口に向けて残るから、先ず、室内側から手を伸ばし跳ね上げ部分４８を勝手口側に向けるようにして収納装置の把持部４５を持ち、レバー５６を引き上げて跳ね上げ部分４８を跳ね上げ状態とする。この状態ではフック５３が手前に向け露出して見えるから、覆い部４４をそのまま履物２側に移動させてフック５３，５３の先端部を履物２の各甲掛け部７に挿入してレバー５６を離すと、スプリング５８の付勢力と自重によって跳ね上げ部分４８が閉じて履物２の保持を行なう。尚、一対の履物同士が離れている場合は、先ず一方の履物をフック５３に掛けることにより他方側に移動できるから、簡単に一式収納状態と成すことができる。
前記状態で覆い部４４を勝手口近くでドアの開閉に邪魔にならない場所に置いておき、履物２を再度使用する場合は、履物２のつま先が前方を向くように把持部４５で覆い部４４を振り向け、履物２を履き易い位置に移動させた後、レバー５６を引き上げて跳ね上げ部分４８の保持状態を解くとフック５３から履物２を外すことができる。
【００３２】
以上説明してきたように、本実施の形態３の履物の収納装置にあっては、実施の形態１と同様の効果が得られる他、上がり易いように勝手口に向いたまま履物を脱いで上がっても、履物２を室内側から安全に簡単に持ち上げて履き易い位置と方向に簡単に配置させることができるし、使用しないときには勝手口ドア４の開閉に邪魔にならない場所に配置させておくことができ、床面５を有効利用できると共に、勝手口のドア下付近をすっきりとまとめることができるなどの効果が得られる。
尚、跳ね上げ部分４８の跳ね上げ機構はワイヤ式など任意に設定することができる。また、支柱部５４を覆い部４４の略中間部に突設しておき、その両側を跳ね上げ式に設けてもよい。
覆い部４４から樹脂ヒンジ４７とロッド５５、リンク５７、フック５３などを無くして簡単な容器型としてもよく、この場合、覆い部４４の一側辺側の周壁部５０を開閉させるようにしてもよい。これらの構成では履物同士が離れている場合、一方の履物を収納した後、覆い部で床面上を他方側の履物位置まで横滑りさせながら揃えたり横滑り状態で近づけた他方側の履物も開閉する周壁部側からそのまま収納して揃えた後、改めて上から被せ直すことにより揃えた状態で収納することができる。履物の収納方向が後で判るように覆い部の一部を透明に設けてもよい。
太陽電池などの電源部と照明器具を備えておき、夜間帯では覆い部を持ち上げると前方を照明するように設けてもよい。
【００３３】
次に、実施の形態４を説明する。
図４は実施の形態４の履物の収納装置を示す側面図であり、実施の形態１における覆い部を蛇腹式に設けたのを特徴としている。
覆い部６１は、勝手口のドア４に取付けた取付け枠１７からドア幅方向に二カ所床面５近くまで垂設された支持枠６２と、支持枠６２下端にそれぞれ端部が回動自在に軸支６３された略コ字状の回動枠６４，６５と、この支持枠６２と回動枠６４，６５とを骨組みとし内部に収納空間６６を形成する柔軟な防水幕材６７とからなっている。前記骨組みは最下段の回動枠６５を最大に大きくすると共に先端部を少し跳ね上げ状態に形成されている。
【００３４】
次に、本実施の形態４の作用効果を説明する。
覆い部６１は実施の形態１の覆い部１と同様にドア４の開閉によって履物２を収納し、または露出させる。この場合、床面５に障害物があって覆い部６１がドア４を開く途中でその障害物に衝突した場合、回動枠６５、それから回動枠６４と跳ね上がって突出部を閉じることになる。
従って、本実施の形態４の履物の収納装置にあっては、ドア４を障害物近くまで開けることができるから、狭い床面しかない勝手口にも設置することができるし、覆い部を付けたためにドア４が開かず勝手口から出ることができなくなるなどの障害がなくなる。不要なときにはドア４側に閉じて扁平にしておくこともできる。また、全体を軽量に設けることができるなどの効果が得られる。
【００３５】
次に、実施の形態５を説明する。
図５は実施の形態５の履物の収納装置を示しており、（イ）は手持ちハンドルとその使用状態を示す斜視図、（ロ）は覆い部とその開閉状態を示す平面図であり、（ハ）は履物の収納状態を示す断面図である。
本実施の形態５の履物の収納装置は、人が履物２を手持ちハンドル７１で一端吊りあげてから覆い部７２に収納させることに特徴がある。
前記手持ちハンドル７１は、支柱部７３の上端に把持部７４を有し下端に履物２の甲掛け部７に挿入させるフック７５を上向き状態で一対有して設けられており、離合手段７６となる。また支柱部７３の中間部には、この支柱部軸心と同心の環状溝７７を下向きにしたベル型のロック部７８を有している。
また覆い部７２は、底部分７９と蓋部分８０からなるように箱体を縦割りされその縦方向分割側をヒンジ部８１で連結して設けられ、底部分７９が勝手口近くの外壁８２などに固定される。また、底部分７９と蓋部分８０とを閉じた状態で円筒を成し前記ロック部７８の環状溝７７に挿入される半円筒部８３が各上面側に突設されている。８４は支柱部７３を蓋部分の半円筒部８３に挿入状態にしてこの蓋部分８０を閉じさせるガイドである。８５は収納空間である。
【００３６】
次に、本実施の形態５の作用効果を説明する。
先ず、手持ちハンドル７１で履物２をフック７５，７５にそれぞれ係止した後、支柱部７３のロック部７８より下方部分を蓋部分の半円筒部８３に挿入して底部分７９方向に移動させると、支柱部７３に係止したガイド８４が蓋部分８０を閉じさせ履物を収納状態とする。このとき半円筒部８３同士が円筒を形成するから、この状態で支柱部７３を降ろすと環状溝７７が前記円筒を挿入させロック状態と成す。履物を取り出す際はこの逆の手順で行なう。
従って、本実施の形態５の履物の収納装置にあっては、履物は勝手口から離れて脱がれていても長い手持ちハンドルで簡単に係止できるし、片方ずつ係止してゆくから乱れて脱がれていても誰でも簡単に揃えることができ、安全な姿勢と極めて簡単な動作で収納、取り出しが行なえるなどの効果が得られる。
尚、覆い部は箱体を縦割りせず内外に開閉自在な扉を側面に設け上面には支柱部挿入用の開口部を設けて開閉自在な扉側から挿入や取り出しを行なうようにすることもできる。また、図５（ニ）に示すように、略レ字状に形成したフック９０を一対横並びに配置してそれぞれ上部先端部同士を支柱部９１の下部に回動自在に軸支９２，９２すると共にそれぞれ弱いスプリング９３，９３でフック９０，９０の下部先端部が水平以下に向くように付勢し、この下部先端部から甲掛け部を深く挿入してそれぞれ履物２を持ち上げると履物２の自重で各重心位置が軸支９２下方向に移動することで各フック９０が上向きとなって履物２を吊り下げ状態と成すようにしてもよい。この場合は履物２を床面から吊りあげるときはフック９０が履物の甲掛け部に挿入し易い方向を向き、床面に置く際はつま先を前にしてもフック９０に掛る荷重が軽くなるに従ってスプリング９３の付勢力により後方に抜き易い角度に変わるから、更に使用し易いという効果が得られる。
【００３７】
以上、本発明の実施の形態を説明してきたが、本発明の具体的な構成はこの実施の形態に限定されるものではない。
例えば、ドア４と床面５とに段差がない場合はドア４の下方を履物２が通過できる程度に空けておき、その上方から覆い部が覆うようにしてもよいし、ドアの下部を覆い部のように出張らせてもよい。この場合は収納した履物が室内側から見えるから、つま先が前を向くように簡単に入れ替えできる。
【図面の簡単な説明】
【図１】本発明実施の形態１の履物の収納装置を示しており、（イ）は全体を示す斜視図、（ロ）は履物の収納手順を示す説明図、（ハ）は同収納後の状態を示す断面図である。
【図２】実施の形態２の履物の収納装置を示しており、（イ）は履物の収納手順と全体を示す断面図、（ロ）は履物の収納状態を示す拡大断面図である。
【図３】実施の形態３の履物の収納装置を示しており、（イ）は全体を示す斜視図、（ロ）は使用状態を示す断面図である。
【図４】実施の形態４の履物の収納装置を示す側面図である。
【図５】実施の形態５の履物の収納装置を示しており、（イ）は手持ちハンドルとその使用状態を示す斜視図、（ロ）は覆い部とその開閉状態を示す平面図、（ハ）は履物の収納状態を示す断面図、（ニ）はフックの他の形状と作用を示す説明図である。
【符号の説明】
１、２１、４４、６１、７２　覆い部
２　サンダルやスリッパなどの履物
３　勝手口（出入り口）
４　勝手口のドア
５　床面
６、２４、５９、７６　離合手段
２２　床下に設けた収納空間（覆い部）
２３　出し入れ口
２５　押し込み装置（離合手段）
２６　押し出し装置（離合手段）
５２　履物の係止手段
５３、９０　フック（係止手段）
【図１】
2004081469.tif 000003
【図２】
2004081469.tif 000004
【図３】
2004081469.tif 000005
【図４】
2004081469.tif 000006
【図５】
2004081469.tif 000007